(57)【要約】      （修正有）【課題】装着性にすぐれ、かつ、磁石構造体とキーパーとのずれをほとんど生じさせない義歯アタッチメントを提供すること。【解決手段】磁気吸引力を発揮する磁石装置１と、磁石装置１に吸着されるキーパー２とを有する義歯アタッチメントである。キーパー２は、凸形状の凸部２１を有すると共に凸部２１の上面に被吸着面２１１を有する。磁石装置１は、永久磁石１１４を内蔵してなると共に吸着面を有する磁石構造体１１と、磁石構造体１１の側周面に配設された非磁性体よりなる非磁性ガイドリング部１２とを有する。非磁性ガイドリング部１２と吸着面２１１とによって、キーパー２の凸部２１と嵌め合い可能な凹部１２０を形成するよう構成されている。【選択図】図１
2005270678.tif 000002
【特許請求の範囲】
【請求項１】
磁気吸引力を発揮する磁石装置と、該磁石装置に吸着されるキーパーとを有する義歯アタッチメントにおいて、
前記キーパーは、凸形状における中央の凸部と該凸部の外周に延在して形成された平坦部とを有すると共に前記凸部の上面に被吸着面を有し、
前記磁石装置は、永久磁石を内蔵してなると共に吸着面を有する磁石構造体と、該磁石構造体の側周面に配設された非磁性体よりなる非磁性ガイドリング部とを有し、該非磁性ガイドリング部と前記吸着面とによって、前記キーパーの前記凸部と嵌め合い可能な凹部を形成するよう構成されており、
前記キーパーの前記凸部と前記磁石装置の前記凹部との嵌め合い状態において、前記キーパーの前記凸部の外周に延在する前記平坦部と、前記凹部の外周部とが互いに対面するよう構成されていることを特徴とする義歯アタッチメント。
【請求項２】
請求項１において、前記キーパーの前記凸部の側周面と前記非磁性ガイドリング部の内側側周面の少なくとも一部には互いに対面可能なテーパ部を有することを特徴とする義歯アタッチメント。
【請求項３】
請求項２において、前記キーパーの前記凸部の側周面と前記非磁性ガイドリング部の内側側周面の少なくとも一部には互いに対面可能なストレート部を有することを特徴とする義歯アタッチメント。
【請求項４】
請求項１〜３のいずれか１項において、前記磁石構造体は、底部と側壁部とにより磁石挿入部を形成してなるヨークと、該ヨークの前記磁石挿入部に挿入された前記永久磁石と、該永久磁石に被せられ前記吸着面の少なくとも一部を構成する軟磁性シールド板と、該軟磁性シールド板と前記ヨークとの間に介設された非磁性体よりなる非磁性シールリング部とよりなり、
前記非磁性ガイドリング部は前記ヨークに溶接接合されており、該ヨークと前記非磁性ガイドリング部との溶接部分と前記永久磁石との距離は、前記ヨークの前記底部の厚みと同じまたはそれ以上の寸法を有することを特徴とする義歯アタッチメント。
【発明の詳細な説明】
【技術分野】
【０００１】
本発明は、磁気吸引力を利用して義歯を口中に固定する義歯アタッチメントの技術分野に関する。
【背景技術】
【０００２】
磁石を利用する従来の義歯アタッチメントとしては、たとえば特許文献１に開示されているものなどがある。この義歯アタッチメントは、永久磁石をもち磁気吸引力を発揮する磁石構造体と、軟磁性体からなり磁石構造体に吸着されるキーパーとを有する。この磁石構造体は、キーパーを吸着する吸着面をもち、その吸着面は平面で構成されている。一方、キーパーは磁石構造体の吸着面に吸着される被吸着面をもつ。
【０００３】
一方、義歯アタッチメントは、磁気吸引力が作用する吸着方向には強いが、吸着方向に垂直な吸着面の面内方向の吸着力は弱かった。
そのため、口腔内では通常義歯アタッチメントは外力をうけ、吸着面の面内方向にずれを生じることがあった。すなわち、磁石装置がキーパーに対して、面内方向に平行移動してり、小さからぬずれを生じることがあった。
このような小さからぬずれによって、義歯アタッチメントの磁気吸引力が低下して義歯が外れやすくなるという不都合が生じる。また、自然歯では生じないずれが生じるので、噛み合わせをする上で不自然な感じがし、義歯の装用感が劣化するという不都合をも生じる。
【０００４】
一方、特許文献２には、図７に示すごとく、磁石構造体８の軟磁性材からなるヨーク５の周縁部の一部に、凹部５０を設け、対向する軟磁性材からなるキーパー６の周縁部の一部に凸部６０をもうけた義歯アタッチメントが開示されている。
この発明は、前記、凹凸部の存在により、従来の義歯アタッチメントの面内方向のずれを無くすことを狙ったものである。
図８に、この義歯アタッチメントの義歯への配置図を示す。キーパー６は、根面板Ｒに鋳接され、さらに、その根面板Ｒは歯根Ｓへ合着されている。磁石構造体８は、義歯Ｔに合着されている。
しかし、この発明では図７のごとく義歯装着時に、歯根Ｓへ固定されたキーパー６の周縁部の一部の凸部６０に対し、嵌め合い部を形成しているヨーク５の周縁部の一部の凹部５０のうちのどちらか一方が、先に、キーパ６の凸部に吸着され、磁石構造体が吸着面に対し斜めに配置され、うまく吸着面に平行に密着させることが困難であった。そのため装着が困難であった。その上、取り外しも、機械的な嵌め合いのため困難であった。
【０００５】
【特許文献１】特開平８−３１７９４１号公報
【特許文献２】特開平１１−２７６５０５号公報
【発明の開示】
【発明が解決しようとする課題】
【０００６】
そこで本発明は、装着性にすぐれ、かつ、磁石構造体とキーパーとのずれをほとんど生じさせない義歯アタッチメントを提供することを課題とする。
【課題を解決するための手段】
【０００７】
請求項１の発明は、磁気吸引力を発揮する磁石装置と、該磁石装置に吸着されるキーパーとを有する義歯アタッチメントにおいて、
前記キーパーは、凸形状における中央の凸部と該凸部の外周に延在して形成された平坦部とを有すると共に前記凸部の上面に被吸着面を有し、
前記磁石装置は、永久磁石を内蔵してなると共に吸着面を有する磁石構造体と、該磁石構造体の側周面に配設された非磁性体よりなる非磁性ガイドリング部とを有し、該非磁性ガイドリング部と前記吸着面とによって、前記キーパーの前記凸部と嵌め合い可能な凹部を形成するよう構成されており、
前記キーパーの前記凸部と前記磁石装置の前記凹部との嵌め合い状態において、前記キーパーの前記凸部の外周に延在する前記平坦部と、前記凹部の外周部とが互いに対面するよう構成されていることを特徴とする義歯アタッチメントにある。
【０００８】
本発明の義歯アタッチメントでは、磁石装置の凹部と、キーパーの凸部とがお互いに、凹部と凸部の嵌め合い公差の範囲でしか磁石装置とキーパーの相対移動が起こり得ない。
よって、本発明によれば、吸着方向と垂直方向の面内方向のずれがほとんど生じない。更に、本発明が有する磁石装置における非磁性ガイドリング部は、非磁性体よりなり、嵌め合い部で磁気回路が構成されず、磁気吸引力が両嵌め合い部に作用しない。
よって、義歯の装着時に、嵌め合い部の一部がキーパーに先に接近しても、そこに強力な磁気吸引力が発生しないため、一部が優先的に吸着され、磁石構造体が吸着面に対し斜めに配置され、うまく吸着面に平行に密着させることができないという課題は解消された。よって、義歯の着脱性が大幅に向上した。
ここで着脱性とは、義歯の装着および取り外しの操作の容易性を意味する。
【０００９】
更に、請求項２の発明のように、前記キーパーの前記凸部の側周面と前記非磁性ガイドリング部の内側側周面の少なくとも一部には互いに対面可能なテーパ部を有するようにすることができる。
これにより、義歯の着脱性をさらに向上させることができる。
【００１０】
また、請求項３の発明のように、前記キーパーの前記凸部の側周面と前記非磁性ガイドリング部の内側側周面の少なくとも一部には互いに対面可能なストレート部を有するようにすることもできる。この場合には、いわゆる茶筒の本体部と蓋部との関係と同様な把持力を得ることができる。
【００１１】
また、請求項４の発明のように、前記磁石構造体は、底部と側壁部とにより磁石挿入部を形成してなるヨークと、該ヨークの前記磁石挿入部に挿入された前記永久磁石と、該永久磁石に被せられ前記吸着面の少なくとも一部を構成する軟磁性シールド板と、該軟磁性シールド板と前記ヨークとの間に介設された非磁性体よりなる非磁性シールリング部とよりなり、前記非磁性ガイドリング部は前記ヨークに溶接接合されており、該ヨークと前記非磁性ガイドリング部との溶接部分と前記永久磁石との距離は、前記ヨークの前記底部の厚みと同じまたはそれ以上の寸法を有することが好ましい。
この場合には、前記溶接による磁気特性低下を抑制することができ、さらに優れた吸着力を得ることができる。
【発明を実施するための最良の形態】
【００１２】
更に、前記キーパーと非磁性ガイドリングとの嵌め合い公差は、０．１〜０．２ｍｍが好ましい。嵌めあい公差があることにより、外力の作用に対して、前記範囲のずれ時に、摩擦によりエネルギーが消費され、支台歯への応力集中を緩和することができる。
【実施例】
【００１３】
以下、本発明の実施例を図面を参照して示し、説明する。
［実施例１］
（実施例１の構成）
本発明の実施例１としての義歯アタッチメントは、図１にしめすように、大きくは、磁石装置１とキーパー２とからなる。
磁石装置１は、磁石構造体１１と非磁性ガイドリング部１２からなる。
本実施例では磁石構造体１１と非磁性ガイドリング部１２はレーザー溶接にて、溶融部１３を介して接合されている。本実施例では、４箇所溶接した。４箇所以上の実施でも問題はない。本発明はこの接合方法に限られない。
【００１４】
磁石構造体１１は、磁石１１４、ヨーク１１５、軟磁性シールド板１１６、非磁性シールリング部１１７とよりなる。ヨーク１２の内周面、非磁性シールリング部１１７及び軟磁性シールド板１１６間の隙間は、水密にシールされている。  磁石１１４は、Ｎｄ−Ｆｅ−Ｂ系希土類の永久磁石を使用し、ヨーク１１５、軟磁性シールド板１１６は、１９Ｃｒ−２Ｍｏ系の軟磁性ステンレス鋼を使用し、非磁性シールリング部１１７は、ＳＵＳ３１６相当材を使用している。
【００１５】
非磁性ガイドリング部１２は、キーパー２の凸部２１と嵌め合うように、磁石構造体１１と一体となって、磁石装置１の凹部１２０を形成する。
この時、非磁性ガイドリング部１２の内側側周面には、テーパ１２１を設けた。
【００１６】
図１、図２に示すごとく、キーパー２は凸形状であり、前記磁石装置１の凹部１２０と嵌め合うように、凸形状における中央に凸部２１を有すると共に凸部２１の外周に延在して形成された平坦部２２５とを有する。そして、同図に示すごとく、キーパー２の凸部２１と磁石装置１の凹部１２０との嵌め合い状態において、凸部２１の外周に延在する平坦部２２５と凹部１２０の外周部１２５とが互いに対面するよう構成されている。この時、キーパー２の凸部２１の側周面には、テーパ２３を設けた。
【００１７】
磁石装置１とキーパー２は、磁石構造体１１の下面（吸着面）１１２とキーパー２の凸部２１の上面２１１とで磁気吸引力で吸着する。
図２に示す如く、このときの、非磁性ガイドリング部１２のテーパ１２１と、キーパー２のテーパ２３との隙間Ｍの嵌め合い公差は、両側で０．２ｍｍとした。
非磁性ガイドリング部１２の側周面には、側周面凹部１２２を形成した。
【００１８】
（実施例の作用効果）
実施例は、以上のように構成されているので、以下の効果を有する。
図３に示すように、本発明のキーパー２は、根面板Ｒに鋳接され、更に、根面板Ｒは、歯根Ｓへ合着されている。磁石装置１は、義歯床Ｔに合着されている。
磁石装置１はキーパー２と、前記磁石装置１１の凹部１２０と凸部２１とがお互い嵌め合うことにより、両者の隙間Ｍの嵌め合い公差は、両側で０．２ｍｍであり、吸着面内を相対移動せず、大きなずれによる磁気吸引力の低下による義歯が外れるという不都合を全く生じない。なお、上記嵌め合い交差は、両側で０．１ｍｍとすることによりさらに確実に上記効果が得られる。
また、０．２ｍｍ以内のずれでは、噛み合わせ時に不自然な感じがなく、義歯の装用感の劣化を生じさせない。
装用感の劣化は個人差があり、隙間Ｍの嵌め合い公差は、両側で１．０ｍｍ程度でも問題ない場合もある。好ましくは０．６ｍｍ以下とした方がよい。
【００１９】
さらに、磁石装置１のキーパー２の嵌め合わせ部に、非磁性材よりなる非磁性ガイドリング部１２を設けることにより、義歯の装着時に、磁石装置１の嵌め合い部の一部がキーパー２に先に接近しても、そこに強力な磁気吸引力が発生しないため、一部が優先的に吸着され、磁石構造体が吸着面に対し斜めに配置され、うまく吸着面に平行に密着させることができないという課題は解決され、著しく義歯の着脱性が向上した。
また、特にキーパー周縁部の一部、非磁性ガイド部の周縁部の一部に凹凸部を設けないため、嵌め合いの位置決めに技工上神経を使う必要がないという点でも着脱性が容易である。
但し、技工上、磁石装置の回転移動の影響が大きい場合は、キーパー周縁部の一部、非磁性ガイド部の周縁部の一部に凹凸部を設けても良い。
【００２０】
また、非磁性ガイドリング部１２、キーパー２の凹凸部にテーパを設けることにより、更にスムーズに装着できる。
【００２１】
非磁性ガイドリング部１２のテーパ１２１と、キーパー２のテーパ２３との嵌め合い公差は、両側で０．２ｍｍに抑えることにより、外力の作用に対して、前記範囲のずれ時に、摩擦によりエネルギーが消費され、支台歯への応力集中を緩和することができる。なお、上述したごとく、上記嵌め合い交差は両側で０．１ｍｍに抑えることもでき、この場合にはさらに上記作用効果を確実にすることができる。
【００２２】
非磁性ガイドリング部１２の側周面凹部１２２を形成することにより、磁石装置１の義歯床からの脱落防止効果を有する。
【００２３】
［実施例２］
本実施例は、実施例１における磁石装置１の構造において、寸法関係の例を示すものである。
すなわち、図４に示すごとく、本例の磁石装置１は、実施例１と基本的に同様の構造を有しており、底部１５１と側壁部１５２とにより磁石挿入部１５０を形成してなるヨーク１１５と、該ヨーク１１５の磁石挿入部１５０に挿入された前記永久磁石１１４と、該永久磁石１１４に被せられ前記吸着面１１２の少なくとも一部を構成する軟磁性シールド板１１６と、該軟磁性シールド板１１６と前記ヨークとの間に介設された非磁性体よりなる非磁性シールリング部１１７とよりなる。
【００２４】
また、非磁性ガイドリング部１２はヨーク１１５に溶接接合されている。そして、該ヨーク１１５と非磁性ガイドリング部１２との溶接部分（溶融部）１３と永久磁石１１４との距離Ａは、ヨーク１１５の底部１５１の厚みＢと同じまたはそれ以上の寸法を有するように設けた。
【００２５】
これにより、本例の場合には、非磁性のシールリング部１１７を囲うように生じる磁気回路７がヨーク１１５を通過する際に、前記溶接部分１３と永久磁石１１４との間においても広い通路を確保することができる。それ故、非常に効率のよい磁気回路を形成することができ、磁気吸引力を更に向上させることができる。
その他は実施例１と同様の作用効果が得られる。
【００２６】
［実施例３］
本例は、実施例１の非磁性ガイドリング部１２の形状と、キーパー２の形状を変更した例である。
すなわち、図５に示すごとく、キーパー２の凸部２１の側周面と、非磁性ガイドリング部１２の内側側周面とに、互いに対面可能なテーパ部２２８、１２８と、互いに対面可能なストレート部２２９、１２９を設けた。その他は実施例１と同様である。
【００２７】
この場合には、磁石装置１とキーパー２とを嵌め合わせた後に、ストレート部２２９と１２９が対面し、いわゆる茶筒の本体部と蓋部との関係と同様な把持力を得ることができる。
その他は実施例１と同様の作用効果が得られる。
【００２８】
［実施例４］
本例は、実施例１の磁石装置１の構造および形状を変更した例である。
すなわち、図６に示すごとく、本例の磁石装置３は、サンドイッチ型の磁石構造体３１を有している。具体的には、両側のヨーク３１１の間に非磁性キャップ３１２で覆われた永久磁石３１４を配置している。そして、ヨーク３１１の側周面には、非磁性体よりなる非磁性ガイドリング部３５が溶接により接合されている。溶接部位は、ヨーク３１１１の側周面に限らず非磁性キャップ３１２の側周面でもよい。また、本例の非磁性ガイドリング部３５はその外周に突起部３５１を設けてある。
キーパー２は実施例１と同様の構成である。
本例の場合にも実施形態例１と同様の作用効果が得られる。
【００２９】
以上のように、本発明によれば、装着性にすぐれ、かつ、磁石構造体とキーパーとのずれをほとんど生じさせない義歯アタッチメントを提供することができる。
【図面の簡単な説明】
【００３０】
【図１】実施例１における義歯アタッチメントの断面図（非吸着状態）。
【図２】実施例１における義歯アタッチメントの断面図（吸着状態）。
【図３】実施例１における義歯アタッチメントの配置を示す断面図。
【図４】実施例２における義歯アタッチメントの断面図（吸着状態）。
【図５】実施例３における義歯アタッチメントの断面図（吸着状態）。
【図６】実施例４における義歯アタッチメントの断面図（非吸着状態）。
【図７】従来例の義歯アタッチメントの斜視図。
【図８】従来例の義歯アタッチメントの配置を示す断面図。
【符号の説明】
【００３１】
１．．．磁石装置、
１１．．．磁石構造体、
１１２．．．磁石構造体のキーパーとの吸着面、
１１４．．．磁石、
１１５．．．ヨーク（軟磁性体）、
１１６．．．軟磁性シールド板、
１１７．．．非磁性シールリング部、
１２０．．．（磁石装置の）凹部、
１２．．．非磁性ガイドリング部、
１２１．．．非磁性ガイドリング部の内側側周面テーパ、
１２２．．．側周面凹部、
１３．．．溶接部、
２．．．キーパー、
２１．．．（キーパーの）凸部、
２１１．．．キーパーの被吸着面、
２３．．．キーパーの側周面テーパ、
Ｍ．．．隙間、
Ｆ．．．歯肉、
Ｒ．．．根面板、
Ｓ．．．歯根、
Ｔ．．．義歯（義歯床）、
【図１】
2005270678.tif 000003
【図２】
2005270678.tif 000004
【図３】
2005270678.tif 000005
【図４】
2005270678.tif 000006
【図５】
2005270678.tif 000007
【図６】
2005270678.tif 000008
【図７】
2005270678.tif 000009
【図８】
2005270678.tif 000010